(57)【要約】【課題】木質材の乾燥に伴なうパテ材の浮き上がりを防止する木質材とボードの接続構造を提供する。【解決手段】木質材１とボード２をボード２の表面側から固着具３を挿通して接続する。固着具３の頭部４の表面５側に形成されたボード２の穴７の固着具３側に弾性を有する緩衝材６を配置する。ボード２の穴７の緩衝材６の表面側にパテ８材を充填する。【選択図】        図１
2004167750.tif 000002
【特許請求の範囲】
【請求項１】
木質材とボードをボードの表面側から固着具を挿通して接続する接続構造において、固着具の頭部の表面側に形成されたボードの穴の固着具側に弾性を有する緩衝材を配置すると共にボードの穴の緩衝材の表面側にパテ材を充填して成ることを特徴とする木質材とボードの接続構造。
【請求項２】
上記緩衝材を固着具の頭部と一体に設けて成ることを特徴とする請求項１記載の木質材とボードの接続構造。
【発明の詳細な説明】
【０００１】
【発明の属する技術分野】
本発明は、木質材とボードをボードの表面側から固着具を挿通して接続する木質材とボードの接続構造に関するものである。
【０００２】
【従来の技術】
従来から、図７に示すように建物の野縁のような木質材１と、石膏ボードのようなボード２とをボード２の表面側からねじや釘等の固着具３を挿通して接続する木質材１とボード２の接続構造が知られている。このものにおいては、図８（ａ）に示すように固着具３の頭部４が打ち込まれることで固着具３の表面側に形成されたボード２の穴にパテ材（図示せず）を充填し、このパテ材により平となったボード２の表面に塗装剤等の仕上げ材９を塗布することで、ボード２の表面仕上げを行っていた（例えば非特許文献１参照）。
【０００３】
【非特許文献１】
ツーバイフォー住宅研究会著、「ツーバイフォー住宅のトラブル対策集―クレームの起きない住宅づくり―」、第１版，株式会社  井上書院、１９９４年２月２５日  Ｐ１２４
【０００４】
【発明が解決しようとする課題】
しかし、上記従来の木質材１とボード２の接続構造にあっては、木質材１とボード２の接続後に時間の経過や気候の変化等により木質材１が乾燥した場合、図８（ｂ）に示すように木質材１が収縮して固着具３の頭部４が浮き上がってしまい、これにより固着具３の頭部４の表面５に設けたパテ材やパテ材の表面に塗布した仕上げ材９がボード２の表面よりも浮き上がり、ボード２の表面の外観が悪くなってしまうことがあった。
【０００５】
本発明は上記の点に鑑みてなされたものであり、その目的とするところは、木質材の乾燥に伴なうパテ材の浮き上がりを防止する木質材とボードの接続構造を提供することを課題とするものである。
【０００６】
【課題を解決するための手段】
上記課題を解決するために本発明に係る木質材とボードの接続構造は、木質材１とボード２をボード２の表面側から固着具３を挿通して接続する接続構造において、固着具３の頭部４の表面５側に形成されたボード２の穴７の固着具３側に弾性を有する緩衝材６を配置すると共にボード２の穴７の緩衝材６の表面側にパテ８材を充填して成ることを特徴とするものである。
【０００７】
このように固着具３の頭部４の表面５に弾性を有する緩衝材６を配置することで、木質材１の収縮により固着具３の頭部４が浮き上がったとしても、この固着具３の浮き上がりは弾性を有する緩衝材６の変形で吸収することができ、これによりパテ材８の浮き上がりを防止できる。
【０００８】
また請求項２記載の木質材とボードの接続構造は請求項１記載の木質材とボードの接続構造において、上記緩衝材６を固着具３の頭部４と一体に設けて成ることを特徴とするものである。
【０００９】
このように緩衝材６を固着具３の頭部４と一体に設けることで、接続の際に固着具３を挿通した後に固着具３の頭部４に別体の緩衝材６を配置するといった面倒な作業をする必要がなく、固着具３を挿通させるだけで緩衝材６を固着具３の頭部４表面に配することができる。
【００１０】
【発明の実施の形態】
以下、本発明を添付図面に示す実施形態に基づいて説明する。なお以下の説明では、材質が木質である建物の野縁や下地材等を木質材１とし、建物の天井や壁等を構成する石膏ボードをボード２としているが、これに限定されるものではなく、木質材１はその材質が木質のものであれば良く、またボード２も板形状を有するものであれば良いものとする。
【００１１】
図１には木質材１とボード２の接続構造が示してある。
【００１２】
本実施形態における木質材１とボード２はボード２の表面側からねじや釘のような頭部４を有する固着具３を挿通することで接続されている。
【００１３】
具体的には木質材１の表面側にボード２を配置し、ハンマやドライバー等の工具（図示せず）でボード２の表面側（木質材１と反対側）から固着具３を挿通して固着具３の先端部分を木質材１に打入もしくは螺合させることで木質材１とボード２を固着している。この場合、固着具３による木質材１とボード２の固着後には、固着具３の打入もしくはねじ込みにより固着具３の頭部がボード２表面に食い込み、これにより固着具３の頭部４の表面５側にボード２の穴７が形成されることとなる。なおこのボード２の穴７は固着具３の頭部４の食い込みにより形成された穴に限られるものではなく、例えば予めボード２の表面に挿通孔を形成し、この挿通孔のボード２の表面側部分に固着具３の頭部４を収納するための大径孔部を形成し、該大径孔部を前記固着具３の頭部４の表面５側に形成されたボード２の穴７としても良く、この場合、固着具３による接続はボード２の大径孔部側から固着具３を挿通することで行われるものとする。
【００１４】
上記により固着具３の頭部４はボード２の表面よりも木質材１側に配置されることとなる。ところで、このように固着具３の頭部４がボード２の表面よりも木質材１側に位置するように固着具３を打ち込むことは通常行われるものであるが、これは以下の理由による。すなわち固着具３の頭部４をボード２の表面よりも木質材１と反対側に突出したままにしておくと、ボード２の表面に仕上げ材９を塗布した場合、固着具３の頭部４表面に位置する仕上げ材９だけが盛りあがってしまうという問題が生じてしまうからであり、これを防止するために固着具３の頭部４をボード２の表面よりも木質材１側に配置することで、仕上げ材９を面一にすることを可能としているのである。
【００１５】
上記固着具３の頭部４の表面５側に形成されたボード２の穴７の固着具３側には固着具３と別体のＥＰＤＭゴムのような弾性を有する緩衝材６が配置されている。なお、本実施形態においては、上記緩衝材６を固着具３の頭部４の表面５部分に配置しており、固着具３の頭部４表面全体を覆っている。そしてこのボード２の穴７の緩衝材６の表面側（固着具３と反対側）にはパテ材８が充填されており、これにより固着具３を挿通させた部分のボード２の表面をそれ以外のボード２の表面と面一にしている。このようにパテ材８により面一となったパテ材８の表面を含むボード２の表面には塗装剤等の仕上げ材９を塗布しており、これによりボード２の表面仕上げを行っている。
【００１６】
しかして木質材１とボード２はボード２の表面側が綺麗に仕上げられた状態で固着具３により強固に接続され、建物の天井や壁等が形成される。
【００１７】
なお、図１には固着具３をボード２の表面に対して垂直よりも傾けて挿通してある例を示してあるが、勿論これに限定されるものではなく、図２のように固着具３をボード２の表面に対して垂直に挿通してあっても良いものとする。
【００１８】
ところで本実施形態において、上記のように固着具３の頭部４の表面５に弾性を有する緩衝材６を配置したのは以下の理由による。
【００１９】
すなわち、既述したように従来では木質材１とボード２との接続後に木質材２が乾燥した場合、木質材１が収縮して固着具３が浮き上がってしまい、これにより固着具３の頭部４の表面５に設けたパテ材８及びパテ材８の表面に塗布した仕上げ材９がボード２の表面から浮き上がってしまうのだが、上記のように固着具３の頭部４の表面５に弾性を有する緩衝材６を配置し、この緩衝材６を介してボード２の穴７にパテ材８を充填することで、木質材１の収縮により固着具３の頭部４が浮き上がったとしても、この固着具３の浮き上がりを弾性を有する緩衝材６の弾性変形で吸収することができ、これにより固着具３の頭部４の表面５に設けたパテ材８及びパテ材８の表面に塗布した仕上げ材９のボード２の表面からの浮き上がりを防止でき、この結果、ボード２の表面の外観を美しく保つことができる。また木質材１の収縮による固着具３の浮き上がり量は図８に示すように固着具３が長い程大きくなるのだが、上記のようにパテ材８及びパテ材８の表面に塗布した仕上げ材９の浮き上がりを防止できるので、長い固着具３を使用することが可能となり、これにより長い固着具３で一層強固に木質材１とボード２とを接続することが可能となる。
【００２０】
次に上記とは異なる実施形態を示す。なお上記実施形態と同一の構成については同一の番号を付与してあり、重複する説明については説明を省略する。
【００２１】
本実施形態では上記緩衝材６を固着具３の頭部４と一体に設けた点に特徴がある。すなわち、固着具３の頭部４の表面５には図３に示すように予め頭部４と略同径の円柱形状を有する緩衝材６を一体に設けてある。
【００２２】
そしてこの頭部４に緩衝材６を設けた固着具３で木質材１とボード２とを接続する場合は、固着具３を工具によりボード２の表面側から挿通することで行われる。なおこの場合、固着具３がねじの場合は、ドライバーのような工具により緩衝材６を弾性変形させて工具の先端を固着具３の頭部４の表面５に形成された回転操作部１０（プラスドライバー係合溝１２）に係合させ、この後、工具で固着具３を操作して固着具３を挿通するものとする。
【００２３】
このように緩衝材６を固着具３の頭部４と一体に設けることで、固着具３を挿通した後に固着具３の頭部４に別体の緩衝材６を配置するといった面倒な作業をする必要がなく、固着具３を挿通させるだけで簡単に緩衝材６を固着具３の頭部４の表面５に配することができる。
【００２４】
またこの場合、図４、図５に示すように緩衝材６に固着具３を固着する際に使用する工具を挿入するための工具挿入孔１１を形成することが好ましい。すなわち、上記固着具３を頭部４の表面５に回転操作部１０を有するねじとし、該固着具３の頭部４の表面５に一体に設けた緩衝材６に固着具３の回転操作部１０を操作するドライバーの先端部を挿入するための工具挿入孔１１を設ける。なお、図４、図５では、固着具３の頭部４の表面５に平面視略プラス（＋）形状のプラスドライバー係合溝１２を形成し、このプラスドライバー係合溝１２を回転操作部１０とし、そして緩衝材６に平面視プラスドライバー係合溝１２と略同形同大のプラス（＋）形状の孔を設け、この孔を工具挿入孔１１としてある。
【００２５】
このように固着具３を固着する際に使用する工具を挿入するための工具挿入孔１１を緩衝材６に形成することで、固着具３の頭部４に一体に緩衝材６を設けたにも関わらず、工具挿入孔１１に工具を挿入してこの工具により固着具３の頭部４を直接操作することが可能となり、これにより工具による固着具３の操作の際に緩衝材が邪魔にならず、結果、簡単に工具で固着具３を木質材１に螺合させたり、打ち込んだりすることが可能となる。
【００２６】
なお、上記では工具挿入孔１１をプラスドライバーを挿入するための孔としたが、これに限定されるものではなく、例えば固着具３の回転操作部を平面視略マイナス（−）形状を有するマイナスドライバー係合溝とすると共にドライバー工具挿入孔を平面視マイナスドライバー係合溝と略同形同大のマイナス（−）形状に形成したり、また図６に示すように平面視ドライバーのような工具の径と略同径の円形状の工具挿入孔１１を設けても良いものとする。
【００２７】
【発明の効果】
上記のように本発明の請求項１記載の発明にあっては、固着具の頭部の表面に弾性を有する緩衝材を配置することで、木質材の収縮により固着具の頭部が浮き上がったとしても、この固着具の浮き上がりは弾性を有する緩衝材の変形で吸収することができ、これにより固着具の頭部の表面に設けたパテ材及びパテ材表面に塗布した仕上げ材がボードの表面から浮き上がることを防止でき、ボードの表面の外観を美しく保つことができる。
【００２８】
また請求項２記載の発明にあっては、上記請求項１記載の発明の効果に加えて、緩衝材を固着具の頭部と一体に設けることで、接続の際に固着具を挿通した後に固着具の頭部に別体の緩衝材を配置するといった面倒な作業をする必要がなく、固着具を挿通させるだけで簡単に緩衝材を固着具の頭部表面に配することができる。
【図面の簡単な説明】
【図１】本発明の実施の形態の一例を示すものであり、木質材とボードの接続構造を示す断面図である。
【図２】同上の他例を示すものであり、木質材とボードの接続構造を示す断面図である。
【図３】本発明の異なる実施の形態の１例を示すものであり、（ａ）は固着具の平面図、（ｂ）は（ａ）の正面図である。
【図４】同上の他例を示すものであり、（ａ）は固着具の平面図、（ｂ）は（ａ）の正面図である。
【図５】図４の斜視図である。
【図６】同上の更に他例を示す固着具の斜視図である。
【図７】従来の木質材とボードの接続構造を示す断面図である。
【図８】従来のボードの表面にパテ材及び仕上げ材を塗布した木質材とボードの接続構造を示すものであり、（ａ）は木質材が湿った状態を示す断面図であり、（ｂ）は木質材が乾燥した状態を示す断面図である。
【符号の説明】
１  木質材
２  ボード
３  固着具
４  頭部
５  表面
６  緩衝材
７  穴
８  パテ材
【図１】
2004167750.tif 000003
【図２】
2004167750.tif 000004
【図３】
2004167750.tif 000005
【図４】
2004167750.tif 000006
【図５】
2004167750.tif 000007
【図６】
2004167750.tif 000008
【図７】
2004167750.tif 000009
【図８】
2004167750.tif 000010